(57)【要約】      （修正有）【課題】下肢の冷え症に対し、靴下やタイツあるいはレッグウォーマー等の下肢を保温する素材を加工し、保温だけでなく積極的に下肢を温熱する装置を提供する。【解決手段】足先から膝上までの靴下やレッグウォーマー等の下肢を保温することを目的とするものを使用し、効率的かつ効果的に足の冷えを改善する足背部２に縦１０〜１５ｃｍ横１３〜１８ｃｍの布をあて、その下方と両側を下肢の保温を目的としたものに縫い付け、いわゆるポケット状構造をつくる。また同様に、冷え症を効率的に改善する膝前１に縦１０〜２０ｃｍ横１３〜２０ｃｍのポケット状構造をつくる。これにより、携帯用カイロをいれることができ、効率的かつ効果的に足の冷えを改善することが可能となる。また、貼り付けカイロの欠点である時間と共に硬化することによる関節可動域の低下や、生体の彎曲部への温熱を難しくしていること、または低温火傷の危険性をも改善する。【選択図】図１
0003171109.tif 000002
【実用新案登録請求の範囲】
【請求項１】
携帯用カイロ等温熱物を収納可能なポケットを設けた足背部と、
携帯用カイロ等温熱物を収納可能なポケットを設けた膝部と
を備えるレッグウォーマー型下肢温熱装置
【考案の詳細な説明】
【技術分野】
【０００１】
本考案は携帯用カイロ用ポケットを装着した温熱装置の構造を有し、特に冷え症の改善として使用でき、しいては健康の増進に適した健康器具等に係る。
【背景技術】
【０００２】
不定愁訴といわれている項目の中で、足に冷感を感じる冷え症は、女性に圧倒的に多い。本田利江  著『専門医がやさしく教える  冷え症』（ PHP研究所）１９９８年によれば年齢と関わりなく、また季節の寒暖に関わりなく足の冷えを訴える女性は、女性の半数近くいるといわれている。また、最近では女性だけでなく、子供から壮年期の男性にまでみられるようになっており、下肢の冷え症は増加傾向にある。
【０００３】
通常、下肢の温度は心臓から送られる温かい血液で保たれているが、足先は心臓から遠く、細小動脈の収縮など血液が末梢に行くにつれてその熱量が減少してしまう。また、外気温やストレスによる末梢血管の収縮、筋力、ホルモンのバランス等様々な要因も絡み合い冷えの原因となり、医学的には根拠のない愁訴、いわゆる「不定愁訴」とされている。
【０００４】
このような足の冷えに対し、これまでは膝かけやタイツあるいはレッグウォーマー等がすでに市販され使用されている。確かに、従来市販されている膝かけ、タイツ、あるいはレッグウォーマー等は、下肢の保温としての機能は果たしている。しかし、重症の冷え症の改善には下肢を保温するだけでは十分でなく、むしろ積極的に、つまり足背動静脈、膝静脈（小伏在静脈）等を選択的に加温することが必要である。
【０００５】
本考案はこのようなレッグウォーマー等の保温効果に着目し、さらに上記の血管を効果的に加熱出来るように、発熱体を入れる携帯用カイロ用ポケットを、足背、膝前に装着した下肢の温熱装置を開発することを目的とする。
【考案の概要】
【考案が解決しようとする課題】
【０００６】
従来、下肢の冷えに対し、冬の寒い日や冷房の効いた部屋等、筋肉を動かせない環境では膝かけやタイツあるいはレッグウォーマー等は保温することで対処してきたが、これだけで十分でなくより積極的に加温することを企んだ。
【０００７】
温熱するものとしては貼り付け用カイロや足温器等がすでに市販されている。貼り付け用カイロは、タイツ等の薄い物の上からの使用は低温火傷を起こす原因となる。また貼り付け用カイロは時間とともに板状に硬化し、その硬化は関節の可動域制限を起こし、動くのに支障をきたしてしまう。
【０００８】
足温器は電気コードが必要なものや靴を脱ぐ必要があるものがある。しかし、仕事場によっては電源が確保することが困難な場合や、仮に電源が確保できても仕事中に席を立つ際、靴を履く煩わしさがある。
【課題を解決するための手段】
【０００９】
このような目的を達成する本発明の携帯用カイロ用ポケットを装着した温熱装置は、その物の持つ保温効果だけでなく、内側または外側にポケットを取り付けることによりカイロ等の温熱物を入れ、必要な血管部位からずれずに効果的に加温出来るようにした。
【００１０】
単に温めるのであれば貼り付け用カイロが存在するが、貼り付け用カイロは時間とともに硬化する。平坦な部位での使用は問題ないが、生体の彎曲部である関節周囲では生体が動く妨げとなる。また、女性のほとんどの人はタイツを使用しているが通常貼り付け用カイロは衣服に貼り付け使用し、タイツ等薄い物では低温火傷の危険性もある。携帯用カイロ用ポケットを装着し、しかも生理的な血管部位を温めることにより、これらの問題点を全て解決してくれる。
【００１１】
携帯用カイロ等の温熱物を入れるポケットを作る上で、効率良く下肢を温めるためには、先に述べたごとく、静脈の走行を考える必要がある。下肢の静脈には身体の深部にある深在性静脈と表部にある表在性静脈とがある。冷え症は外気温の影響を受けるため、より影響の強い表在性静脈に注目する必要がある。足部では、足部の表在性静脈が集まる足背静脈弓を温めることが足部の温熱に効果的である。よって足背部を下肢の運動等ですれることが無いように温めるためのポケットを設置することとした。
また、膝部では膝の裏には大きな動脈が通り、静脈も伴行している。動脈は心臓から送り出された熱を持った血液を運ぶため膝の裏よりもむしろ表のほうが冷えに弱い。特に膝蓋骨の下方は大腿四頭筋腱があり、筋肉は血流が多いが腱は血流が少ないという特徴がある。よって膝関節の前を温めることが下肢の冷えには効果的といえ膝の前にポケットを設置した。
【考案の効果】
【００１２】
このような携帯用カイロ用ポケットを装着した温熱装置は、これまでの膝かけやタイツあるいはレッグウォーマー等と同様の保温素材で作られているので保温効果がある。
また前述のように、タイツ等を使用している多くの女性が低温火傷の心配をすることなく生体の彎曲にそって加温できるだけでなく、静脈の走行を考慮した温熱は冷え症に対し効果的に足の冷えを改善する。また、仕事中に急に席を立つ事も考慮しなければならない。従来の足温器は靴を脱ぐ必要がある物や電気コードが必要なものがあるが、携帯用カイロ用ポケットを装着した温熱装置はそのような煩わしさも無く、足を温めるだけでなく仕事の効率も低下しない。さらに本発明は足関節、膝関節にポケットとして二重の布が当たるので、二重の空気層ができ、これだけでも温熱感は極めて増加する。
【図面の簡単な説明】
【００１３】
【図１】本考案の携帯用カイロ用ポケットを装着したレッグウォーマー型下肢温熱装置の側面図である。
【図２】本考案の携帯用カイロ用ポケットを装着したレッグウォーマー型下肢温熱装置を装着した側面図である。
【図３】本考案の携帯用カイロ用ポケットを装着したレッグウォーマー型下肢温熱装置を装着した正面図である。
【図４】本考案の携帯用カイロ用ポケットを装着したレッグウォーマー型下肢温熱装置を装着した上面図である。
【考案を実施するための形態】
【００１４】
以下、本考案の携帯用カイロ用ポケットを装着した温熱装置の実施の一形態について図面を参照して説明する。
【００１５】
図１は本考案の実施例を示すものであり、レッグウォーマー等の下肢を保温することを目的とするものを使用し、効率的に足の冷えを改善する足背部に縦１０〜１５cm横１３〜１８cmの布（例えばポリエステル１００％で出来た布）をあて、その下方と両側を下肢の保温を目的としたものに縫い付け、いわゆる使い捨てカイロ等の温熱物を入れるためのポケットをつける。また同様に、冷え症を効率的に改善する膝前に縦１０〜２０cm横１３〜２０cmの携帯用カイロ等温熱物を入れるポケットをつける。
【００１６】
前記したように足背部のポケットは、足部の表在性静脈が集まる足背静脈弓を温めることが出来、足部の温熱に効果的である。また、このポケットはヒール等の靴を履いていても動きに制限がおきない大きさである。
【００１７】
膝部のポケットは膝蓋骨の下方にある大腿四頭筋腱を中心に血流が少ない部分を温めることで効果的に膝周りを温める。膝部は足背部よりも太いため、膝部のポケットは、本考案の携帯用カイロ用ポケットを装着した温熱装置を装着する際ゆとりが無ければ、そのポケットに温熱物である使い捨てのカイロを入れにくい。その為、縦１０〜２０cm横１３〜２０cmと足背部より大きいポケットを設置する。これら二つのポケットは温熱物である使い捨てカイロを入れなくとも二重の布による二重の空気層ができ、これだけでも温熱の効果が期待できる。
【００１８】
図１から図４は、すでに市販されているつま先及び踵が無い下肢を保温するレッグウォーマーを使用し、加工したものであるが、本発明を実施するに当たり、下肢を保温するレッグウォーマー等の種類や、ポケットを作るための布の種類や大きさは限定されるものではない。
【符号の説明】
【００１９】
１  携帯用カイロ等温熱物を収納可能なポケットを設けた膝部
２  携帯用カイロ等温熱物を収納可能なポケットを設けた足背部
３  本体
【図１】
0003171109.tif 000003
【図２】
0003171109.tif 000004
【図３】
0003171109.tif 000005
【図４】
0003171109.tif 000006